(57)【要約】【課題】本発明は、取手部を圧縮可能とすることで、洗浄水利用効率を良くし、車等を洗浄するのに十分な水圧で洗浄水を吐出可能とする洗浄用ブラシを提供することを目的とした。【解決手段】洗浄水を貯留可能な取手部３と、外部に洗浄体７が設けられたブラシ部２とを備えた洗浄ブラシ１において、前記ブラシ部２の内側には、ブラシ内空間５を備えており、当該ブラシ内空間５の内側から外側に向けて洗浄水を吐出可能な吐出孔１１とを有するものであって、前記取手部３は、前記ブラシ内空間５と連通した取手内空間６を有し、当該取手内空間６に洗浄水を貯留可能なものであり、前記取手部３を圧縮することにより、前記取手内空間６に貯留されている洗浄水をブラシ内空間５側に圧送し、前記吐出孔１１から吐出し、洗浄できること。【選択図】図１
2009165730.tif 000002
【特許請求の範囲】
【請求項１】
洗浄水を貯留可能な取手部と、外部に洗浄体が設けられたブラシ部とを備えた洗浄用ブラシであって、前記ブラシ部は、ブラシ内空間と、当該ブラシ内空間の内側から外側に向けて洗浄水を吐出可能な吐出孔とを有するものであり、前記取手部は、前記ブラシ内空間と連通した取手内空間を有し、当該取手内空間内に洗浄水を貯留可能なものであり、前記取手部を圧縮することにより、前記取手内空間内に貯留されている洗浄水をブラシ内空間側に圧送できることを特徴とする洗浄用ブラシ。
【請求項２】
前記ブラシ部に設けられた洗浄体は刷毛であることを特徴とする請求項１に記載の洗浄ブラシ。
【請求項３】
前記取手部は、弾性材により構成されていることを特徴とする請求項１又は２に記載の洗浄用ブラシ。
【発明の詳細な説明】
【技術分野】
【０００１】
本発明は、洗浄水を手動で排出可能な洗浄用ブラシに関するものである。
【背景技術】
【０００２】
従来、自動車の家庭用の洗浄用ブラシとしては、刷毛やスポンジを一体的に取り付けたブラシ部を有し、そのブラシ部の刷毛側に洗浄水を放出する吐出孔が形成され、ブラシ部の反対側にあたる取手部の基端部を水道ホースと連結して、洗浄水をブラシ部の吐出孔から排出しながら車を刷毛で洗浄するようにした構造のものが一般的に使用されている。
【０００３】
また、特許文献１には、洗車ブラシのように水道ホースに連結することなく、ブラシ本体のブラシ台に貯水室を設け、ブラシ毛が設けられた面に形成された吐出孔を通じて、洗浄水を吐出し、車を洗浄することができる構造のものが開示されている。
【特許文献１】特開平８−１８８１２７号公報
【発明の開示】
【発明が解決しようとする課題】
【０００４】
ところが、従来のこのような洗浄用ブラシでは、吐出孔から吐出される洗浄水の勢いは、主に重力に頼るので、洗浄するのに十分な水圧を得ることができず、洗車時における洗浄水の利用効率を悪くする懸念があった。
【０００５】
そこで本発明は、取手部を圧縮可能とすることで、車等を洗浄するのに十分な水圧で洗浄水を吐出可能とする洗浄用ブラシを提供することを課題とする。
【課題を解決するための手段】
【０００６】
上記課題を解決するため、請求項１の発明は、洗浄水を貯留可能な取手部と、外部に洗浄体が設けられたブラシ部とを備えた洗浄用ブラシであって、前記ブラシ部は、ブラシ内空間と、当該ブラシ内空間の内側から外側に向けて洗浄水を吐出可能な吐出孔とを有するものであり、前記取手部は、前記ブラシ内空間と連通した取手内空間を有し、当該取手内空間内に洗浄水を貯留可能なものであり、前記取手部を圧縮することにより、前記取手内空間内に貯留されている洗浄水をブラシ内空間側に圧送できることを特徴とした。
【０００７】
請求項１の洗浄用ブラシは、取手部の取手内空間と、当該取手内空間と連通するブラシ内空間とに洗浄水を溜め、取手部に外圧を加えて圧縮することにより、洗浄水を取手内空間側からブラシ内空間側に圧送し、吐出孔から勢いよく吐出させることができる。そのため十分な水圧で洗浄することができる。
【０００８】
請求項２の発明は、請求項１の発明において、前記ブラシ部に設けられた洗浄体は刷毛であることを特徴とした。
【０００９】
請求項２の洗浄用ブラシは、洗浄体に刷毛を用いて構成している。そのため吐出孔から吐出される洗浄水の水圧を減圧させることなく、十分な水圧を保ち洗浄することができる。
【００１０】
請求項３の発明は、請求項１又は２の発明において、前記取手部は、弾性材により構成されていることを特徴とした。
【００１１】
請求項３の洗浄用ブラシは、取手部を弾性材で構成することで、外圧による内部への圧縮を容易にし、洗浄水を勢いよく外部へ排出することができる。
【発明の効果】
【００１２】
本発明の洗浄用ブラシは、洗浄水利用効率が良く、車等を洗浄するのに十分な水圧で洗浄水を吐出することができる。
【発明を実施するための最良の形態】
【００１３】
次に本発明の具体的実施形態について説明する。
本発明の実施形態の洗浄用ブラシ１は、図１に示すように、ブラシ部２と取手部３とを有している。
ブラシ部２は、ブラシ部材８と、洗浄体７である刷毛１２とで構成されている。取手部３は、取手部材９とキャップ４とで構成されている。
【００１４】
ブラシ部材８の外観は、略円筒形状である。ブラシ部材８の外周面の一部は、平面状の洗浄面１４とされている。洗浄面１４には、外部と内部を貫通する吐出孔１１が多数形成されている。吐出孔１１は、主に長手方向に形成されている。さらに吐出孔１１は、長手方向両端且つ、短手方向両端から一定距離はなれた位置に形成されている。またブラシ部材８の内部は、ブラシ内空間５が設けられている。
【００１５】
刷毛１２は、ブラシ部材８の洗浄面１４から外部に向けて直線状に取り付けられている。また刷毛１２は、吐出孔１１を避けるように取り付けられている。刷毛材は、洗浄の対象を傷めない軟質なものが好ましい。
【００１６】
取手部材９は、外観が略円筒形状である。取手部材９は、人力により圧縮可能なゴムのような弾性材で構成される。また取手部材９は、後方端１５に洗浄水を流入させるための流入口１３を備えている。さらに流入口１３は、キャップ４により閉塞される。また取手部材９の内部には、洗浄水を貯留可能な取手内空間６が設けられている。
【００１７】
洗浄用ブラシ１において、上記したブラシ部２および取手部３は、長手方向に連結されている。また洗浄用ブラシ１は、ブラシ部２および取手部３の内部において、ブラシ内空間５と取手内空間６とが連通している。
【００１８】
上記したように、本実施形態の洗浄用ブラシ１において、取手部材９は、ゴムなどの人力により圧縮可能な弾性材で構成されている。そのため取手部材９を圧縮すると、取手内空間６の洗浄水が勢いよく押し出される。またブラシ内空間５と取手内空間６とが連通しているため、取手内空間６から押し出された洗浄水がブラシ内空間５に流入する。さらにブラシ部材８の洗浄面１４には吐出孔１１が形成されているため、ブラシ内空間５に流入した洗浄水が吐出孔１１から勢いよく吐出される。そのため、本実施形態の洗浄用ブラシ１は、車等を洗浄するのに十分な水圧で洗浄水を吐出することができる。
【００１９】
上記実施形態の洗浄用ブラシ１は、略円筒形状である構成を示したが、本発明は、このような構成に限定されるわけではない。例えば、ブラシ部材８の形は、円柱形や四角柱などであってもよい。円筒形以外の形を構成する場合であっても、洗浄体７を取り付ける面に吐出孔１１を設けることが好適である。
【００２０】
上記実施形態の洗浄用ブラシ１では、ブラシ部材８の洗浄面１４のみに刷毛１２を取り付けたブラシ部２を示したが、本発明は、このような構成に限定されるわけではない。例えば、本実施形態のブラシ部材８における刷毛１２を取り付けた洗浄面１４以外にも洗浄体７を取り付けてもよい。洗浄面１４以外の面にも洗浄体７を取り付けた場合では、吐出孔１１を有する面は一面のみに限らず、その他の面にも同様に設けてもよい。
【００２１】
上記実施形態の洗浄用ブラシ１では、ブラシ部２に洗浄体７として刷毛１２を取り付けた構成を示したが、本発明は、このような構成に限定されるわけではない。例えば、洗浄体７にはスポンジのようなものを取り付けてもよい。なお、スポンジのような吸水性の高いものを洗浄体７として採用する場合は、吐出孔１１から吐出される洗浄水の水圧を減じないために、吐出孔１１が位置する箇所には洗浄体７に貫通孔を設けたり、洗浄体７の厚みを薄くする等の方策を講じることが好ましい。
【図面の簡単な説明】
【００２２】
【図１】洗浄用ブラシを示す斜視図。
【符号の説明】
【００２３】
１    洗浄用ブラシ
２    ブラシ部
３    取手部
５    ブラシ内空間
６    取手内空間
７    洗浄体
１１    吐出孔
１２    刷毛
【図１】
2009165730.tif 000003